(57)【要約】本発明は上りスケジューリング情報を送信する方法および基地局を提供する。該方法は、上りスケジューリング情報に基づいてスケジューリングを行うべき上りサブフレームに対し、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、を含む下りサブフレーム候補群から、前記上りスケジューリング情報の送信用として使用可能な下りサブフレームを選択するステップと、選択された下りサブフレームにおいて、前記上りスケジューリング情報を送信するステップと、を含む。
2016506171.tif 000002
【特許請求の範囲】
【請求項１】
上りスケジューリング情報を送信する方法であって、
上りスケジューリング情報に基づいてスケジューリングを行うべき上りサブフレームに対し、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、を含む下りサブフレーム候補群から、前記上りスケジューリング情報の送信用として使用可能な下りサブフレームを選択するステップと、
選択された下りサブフレームにおいて、前記上りスケジューリング情報を送信するステップと、を含む方法。
【請求項２】
前記第１の下りサブフレームが如何なる前記上りスケジューリング情報の送信用としても使用できない場合には、前記１つまたは複数の第２の下りサブフレームのうち、前記上りスケジューリング情報の送信用として使用可能な下りサブフレームを１つ選択する、請求項１に記載の方法。
【請求項３】
如何なる前記上りスケジューリング情報の送信用としても使用できない前記下りサブフレームは、マルチキャスト・ブロードキャスト単周波数ネットワークＭＢＳＦＮのサブフレームとして用いられる下りサブフレームである、請求項２に記載の方法。
【請求項４】
前記１つまたは複数の第２の下りサブフレームには、ＭＢＳＦＮのサブフレームとして用いられず、上りスケジューリング情報の送信用として使用可能な少なくとも１つの下りサブフレームが含まれる、請求項１〜３の何れか１項に記載の方法。
【請求項５】
前記予定のスケジューリング・タイミングは、第３世代パートナーシップ・プロジェクト３ＧＰＰのロング・ターム・エボリューションＬＴＥ第１０版で定義された周波数分割デュプレックスＦＤＤスケジューリング・タイミングである、請求項１〜３の何れか１項に記載の方法。
【請求項６】
上りスケジューリング情報を送信する基地局であって、
上りスケジューリング情報に基づいてスケジューリングを行うべき上りサブフレームに対し、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、を含む下りサブフレーム候補群から、前記上りスケジューリング情報の送信用として使用可能な下りサブフレームを選択する選択部と、
前記選択部により選択された下りサブフレームにおいて、前記上りスケジューリング情報を送信する送信部と、を含む基地局。
【請求項７】
前記選択部は、前記第１の下りサブフレームが如何なる前記上りスケジューリング情報の送信用としても使用できない場合には、前記１つまたは複数の第２の下りサブフレームのうち、前記上りスケジューリング情報の送信用として使用可能な下りサブフレームを１つ選択するように構成されている、請求項６に記載の基地局。
【請求項８】
如何なる前記上りスケジューリング情報の送信用としても使用できない前記下りサブフレームは、マルチキャスト・ブロードキャスト単周波数ネットワークＭＢＳＦＮのサブフレームとして用いられる下りサブフレームである、請求項７に記載の基地局。
【請求項９】
前記１つまたは複数の第２の下りサブフレームには、ＭＢＳＦＮのサブフレームとして用いられず、上りスケジューリング情報の送信用として使用可能な少なくとも１つの下りサブフレームが含まれる、請求項６〜８の何れか１項に記載の基地局。
【請求項１０】
前記予定のスケジューリング・タイミングは、第３世代パートナーシップ・プロジェクト３ＧＰＰのロング・ターム・エボリューションＬＴＥ第１０版で定義された周波数分割デュプレックスＦＤＤスケジューリング・タイミングである、請求項６〜８の何れか１項に記載の基地局。
【発明の詳細な説明】
【技術分野】
【０００１】
本発明はモバイル通信に関し、具体的には上りスケジューリング情報を送信する方法および基地局に関する。
【背景技術】
【０００２】
第３世代パートナーシップ・プロジェクト（３ＧＰＰ）のロング・ターム・エボリューション（ＬＴＥ）システムは、基地局（ＮｏｄｅＢまたはエボリューションＮｏｄｅＢ（ｅＮＢ）とも称される）が、物理下り制御チャネル（ＰＤＣＣＨ）／増強型物理下り制御チャネル（ｅＰＤＣＣＨ）を介して上りスケジューリング情報（例えば上りライセンシングＵＬ  ｇｒａｎｔ）を送信する。そして、ユーザ装置（ＵＥ）が、ＰＤＣＣＨ／ｅＰＤＣＣＨにおける上りスケジューリング情報を読み取り、該スケジューリング情報が示している上りサブフレームにおいて上りデータを送信する。なお、ＵＥは、ユーザ端末であってもよく、ユーザノードや、モバイル端末またはタブレットＰＣであってもよい。
【０００３】
また、３ＧＰＰのＬＴＥ第１０版には、上りスケジューリング情報を送信するための下りサブフレームと、該上りスケジューリング情報に基づいてスケジューリングを行うべき上りサブフレームとの対応関係を示すスケジューリング・タイミング（ｔｉｍｉｎｇ）が規定されている。
【０００４】
ところで、先行文献である“Ｒ１−１２５１１７,３ＧＰＰ ＴＳＧ ＲＡＮ ＷＧ１ Ｍｅｅｔｉｎｇ ＃７１，Ｑｕａｌｃｏｍｍ Ｉｎｃ”には、新しいキャリア波タイプ（Ｎｅｗ Ｃａｒｒｉｅｒ Ｔｙｐｅ，ＮＣＴ）を支持する予定のＬＴＥ第１２版に存在し得る問題が指摘されている。また、ＮＣＴでは、マルチメディアマルチキャスト・ブロードキャストサービス（ＭＢＭＳ）は、従来のままシステムに支持されると共に、ＭＢＭＳにＬＴＥ第１２版以前のスタンダード設定が引き継がれている。さらに、ＬＴＥ第１２版以前のスタンダード設定によれば、マルチキャスト・ブロードキャスト単周波数ネットワークのサブフレームにおけるＭＢＭＳ用無線リソース、およびＰＤＣＣＨ用無線リソースについて、時間分割多重化が採用されている。
【発明の概要】
【発明が解決しようとする課題】
【０００５】
ＬＴＥ第１２版では、システムは、ＮＣＴキャリア波（単に「ＮＣＴ」と略称される）のみが使用される周波数領域において、ＰＤＣＣＨの代わりにｅＰＤＣＣＨを用いる。しかし、この場合、ＭＢＳＦＮのサブフレームにおけるＭＢＭＳ用無線リソースおよびｅＰＤＣＣＨ用無線リソースは、時間分割多重化を用いて同一ＮＣＴキャリア波内に共存させることができない。そのため、ＦＤＤモード下のＮＣＴによるＭＢＭＳに、ＬＴＥ第１２版以前のスタンダード設定を従来のまま適用させるためには、上りリソースのスケジューリング・タイミングを改修する必要がある。
【０００６】
したがって、一部の下りサブフレームが上りスケジューリング情報の送信用として使用できなくても（例えばＭＢＭＳ用）、当該上りサブフレームのスケジューリングや、現行スタンダードへの影響の最小化が可能な新しいスケジューリング・タイミングが必要である。
【課題を解決するための手段】
【０００７】
本発明は、上記問題の少なくとも一部を解決することが目的である。
【０００８】
本発明の第１の形態として、上記の課題を解決するために、上りスケジューリング情報を送信する方法であって、上りスケジューリング情報に基づいてスケジューリングを行うべき上りサブフレームに対し、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、を含む下りサブフレーム候補群から、前記上りスケジューリング情報の送信用として使用可能な下りサブフレームを選択するステップと、選択された下りサブフレームにおいて、前記上りスケジューリング情報を送信するステップと、を含む方法を提供する。
【０００９】
また、本発明の実施例によれば、前記第１の下りサブフレームが如何なる上りスケジューリング情報の送信用としても使用できない場合には、前記１つまたは複数の第２の下りサブフレームのうち、前記上りスケジューリング情報の送信用として使用可能な下りサブフレームを１つ選択する。
【００１０】
また、本発明の実施例によれば、如何なる上りスケジューリング情報の送信用としても使用できない下りサブフレームは、マルチキャスト・ブロードキャスト単周波数ネットワークＭＢＳＦＮのサブフレームとして用いられる下りサブフレームである。
【００１１】
好ましくは、前記１つまたは複数の第２の下りサブフレームには、ＭＢＳＦＮのサブフレームとして用いられず、上りスケジューリング情報の送信用として使用可能な少なくとも１つの下りサブフレームが含まれる。
【００１２】
また、本発明の実施例によれば、前記予定のスケジューリング・タイミングは、第３世代パートナーシップ・プロジェクト３ＧＰＰのロング・ターム・エボリューションＬＴＥ第１０版で定義された周波数分割デュプレックスＦＤＤスケジューリング・タイミングである。
【００１３】
本発明の第２の形態として、上りスケジューリング情報を送信する基地局であって、上りスケジューリング情報に基づいてスケジューリングを行うべき上りサブフレームに対し、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、を含む下りサブフレーム候補群から、前記上りスケジューリング情報の送信用として使用可能な下りサブフレームを選択する選択部と、選択部により選択された下りサブフレームにおいて前記上りスケジューリング情報を送信する送信部と、を含む基地局を提供する。
【００１４】
また、本発明の実施例によれば、前記選択部は、前記第１の下りサブフレームが如何なる上りスケジューリング情報の送信用としても使用できない場合には、前記１つまたは複数の第２の下りサブフレームのうち、前記上りスケジューリング情報の送信用として使用可能な下りサブフレームを１つ選択するように構成されている。
【００１５】
また、本発明の実施例によれば、如何なる上りスケジューリング情報の送信用としても使用できない下りサブフレームは、マルチキャスト・ブロードキャスト単周波数ネットワークＭＢＳＦＮのサブフレームとして用いられる下りサブフレームである。
【００１６】
好ましくは、前記１つまたは複数の第２の下りサブフレームには、ＭＢＳＦＮのサブフレームとして用いられず、上りスケジューリング情報の送信用として使用可能な少なくとも１つの下りサブフレームが含まれる。
【００１７】
また、本発明の実施例によれば、前記予定のスケジューリング・タイミングは、第３世代パートナーシップ・プロジェクト３ＧＰＰのロング・ターム・エボリューションＬＴＥ第１０版で定義された周波数分割デュプレックスＦＤＤスケジューリング・タイミングである。
【発明の効果】
【００１８】
本発明によれば、一部の下りサブフレームが上りスケジューリング情報の送信用として使用できなくても（例えばＭＢＭＳ用）、当該上りサブフレームのスケジューリングや、現行スタンダードへの影響の最小化が可能である。
【図面の簡単な説明】
【００１９】
【図１】本発明に係る基地局を示すブロック図である。
【図２】本発明に係る上りスケジューリング情報を送信する方法を示すフローチャート図である。
【発明を実施するための形態】
【００２０】
図面に基づく詳細な下記説明により、本発明の上記特徴および他の特徴がさらに明白になるのであろう。
【００２１】
下記のように、本発明の図面に基づく具体的な実施例の説明により、本発明の原理および実現がより明らかになる。なお、本発明は下記の具体的な実施例に限定されるものではない。また、本発明に対する理解の混同を避けるように、便宜上、本発明と直接に関連しない公知技術の詳細な説明を省略している。
【００２２】
以下は、運用環境として、ＬＴＥ Ｒｅｌ−１２モバイル通信システムおよびそれ以降のエボリューション版を例に挙げ、本発明に係る幾つかの実施例を詳しく説明する。但し、本発明は下記の実施例に限定されず、他の多種の無線通信システム、例えば将来の５Ｇセルラ通信システムにも適用可能である。
【００２３】
３ＧＰＰのＬＴＥ第１０版で規定されたＦＤＤモード下のスケジューリング・タイミングに基づき、ｎ番目の下りサブフレームにおいて、ｎ＋４番目の上りサブフレームのスケジューリングを行うための上りスケジューリング情報を送信する。換言すれば、ｎ番目の下りサブフレームと、ｎ＋４番目の上りサブフレームとが対応している。上記のように、ＦＤＤモード下のＮＣＴでは、ｎ番目の下りサブフレームがＭＢＭＳ用として設定されている場合、すなわち、該下りサブフレームがマルチキャスト・ブロードキャスト単周波数ネットワークＭＢＳＦＮのサブフレームとして用いられる場合には、ｎ番目の下りサブフレームを上りスケジューリング情報の送信用として使用することができない。このような場合、３ＧＰＰのＬＴＥ第１０版で規定されたスケジューリング・タイミングでは、ｎ＋４番目の上りサブフレームに対し、上りデータ伝送のためのスケジューリングを行うことができなくなる。
【００２４】
また、ＦＤＤモード下のＮＣＴでは、下りサブフレーム番号１、２、３、６、７、８のうち、一つまたは複数の下りサブフレームがＭＢＳＦＮのサブフレームとして設定される可能性があるが、換言すれば、下りサブフレーム番号０、４、５、９のいずれもＭＢＳＦＮのサブフレームとして用いられない。したがって、ＦＤＤモード下の新しいキャリア波タイプ（ＮＣＴ）では、下りサブフレーム１、２、３、６、７、８のいずれかがＭＢＳＦＮのサブフレームとして用いられた場合には、該サブフレームを上りスケジューリング情報の送信用として使用することができなくなる。このような場合、３ＧＰＰのＬＴＥ第１０版で規定されたスケジューリング・タイミングに基づいて該サブフレームと対応している上りサブフレームは、上りデータ伝送のためのスケジューリングを行うことができない。
【００２５】
なお、ＦＤＤモード下のＮＣＴによるＭＢＭＳの場合を一例として、本発明の実施例を説明しているが、下りサブフレームを上りスケジューリング情報の送信用として使用できない理由はＭＢＭＳの場合に限られないということは、当業者であれば理解できる。また、本発明は、上記のような運用場面に限定されるものではない。
【００２６】
図１は、本発明に係る基地局１００を示すブロック図である。図１に示すように、基地局１００は、選択部１１０および送信部１２０を含む。なお、基地局１００には、その機能を実現するための他の機能的手段、例えば各種のプロセッサーやメモリ等も含まれていることは、当業者であれば理解できる。
【００２７】
選択部１１０は、上りスケジューリング情報に基づいてスケジューリングを行うべき上りサブフレームに対し、下りサブフレーム候補群から、前記上りスケジューリング情報の送信用として使用可能な下りサブフレームを選択する。前記下りサブフレーム候補群には、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、が含まれる。
【００２８】
ここで、前記予定のスケジューリング・タイミングとは、例えば３ＧＰＰ第１０版で定義された周波数分割デュプレックスＦＤＤスケジューリング・タイミングであってもよいが、これに限定されない。
【００２９】
本発明の一実施例として、選択部１１０は、前記第１の下りサブフレームが如何なる上りスケジューリング情報の送信用としても使用できない場合には、前記１つまたは複数の第２の下りサブフレームのうち、前記上りスケジューリング情報の送信用として使用可能な下りサブフレームを１つ選択するように、構成されている。
【００３０】
ここで、如何なる上りスケジューリング情報の送信用としても使用できない下りサブフレームとは、マルチキャスト・ブロードキャスト単周波数ネットワークＭＢＳＦＮのサブフレームとして用いられる下りサブフレームであってもよい。
【００３１】
本発明の一実施例として、前記１つまたは複数の第２の下りサブフレームには、ＭＢＳＦＮのサブフレームとして用いられず、上りスケジューリング情報の送信用として使用可能な少なくとも１つの下りサブフレームが含まれる。
【００３２】
また、送信部１２０は、選択部１１０により選択された下りサブフレームにおいて前記上りスケジューリング情報を送信する。
【００３３】
以下は、具体例を挙げつつ、基地局１００の各部の動作を説明する。なお、本発明は以下に説明する具体例に限定されるものではないということは、当業者であれば分かる。また、基地局１００における対応する各部が本発明の原理に基づいて動作すれば、本発明の目的が達成される。
【００３４】
上述のように、下りサブフレーム番号１、２、３、６、７、８のうち、一つまたは複数の下りサブフレームがＭＢＳＦＮのサブフレームとして設定される可能性があるが、換言すれば、下りサブフレーム番号０、４、５、９のいずれもＭＢＳＦＮのサブフレームとして用いられない。したがって、３ＧＰＰのＬＴＥ第１０版で規定されたＦＤＤモード下のスケジューリング・タイミングによれば、上りサブフレーム３、４、８、９のスケジューリングは常に可能である。すなわち、上りサブフレーム４のスケジューリングを行うための上りスケジューリング情報を送信するために、下りサブフレーム０を用いることができる。また、上りサブフレーム８のスケジューリングを行うための上りスケジューリング情報を送信するために、下りサブフレーム４を用いることができる。また、上りサブフレーム９のスケジューリングを行うための上りスケジューリング情報を送信するために、下りサブフレーム５を用いることができる。そして、次の無線フレームの上りサブフレーム３のスケジューリングを行うための上りスケジューリング情報を送信するために、下りサブフレーム９を用いることができる。一方、下りサブフレーム番号０、１、２、５、６、７のうち、一つまたは複数がＭＢＳＦＮのサブフレームとして設定される可能性があるため、３ＧＰＰのＬＴＥ第１０版で規定されたＦＤＤモード下のスケジューリング・タイミングでは、上りサブフレーム０、１、２、５、６、７のうちの一つまたは複数に対するスケジューリングが行えない可能性がある。以下、スケジューリングが行えない可能性があるこれらの上りサブフレームについての動作を説明する。
【００３５】
本発明の一実施例において、基地局１００（例えば選択部１１０）が、上りサブフレームごとに下りサブフレーム候補群を設定する。ここで、限定的でない一例として、無線フレームｆの上りサブフレーム０、１、２ごとに設定された下りサブフレーム候補群には、直前の無線フレームｆ−１の下りサブフレーム４、５、６、７、８が含まれてもよい。ここで、３ＧＰＰのＬＴＥ第１０版で規定されたＦＤＤモード下のスケジューリング・タイミングによれば、無線フレームｆの上りサブフレーム０、１、２のそれぞれが、直前の無線フレームｆ−１の下りサブフレーム６、７、８と対応している。なお、上述したように、下りサブフレーム４、５は、ＭＢＳＦＮのサブフレームとして用いられないため、上りスケジューリング情報の送信用として使用できる。つまり、換言すれば、スケジューリングを行うべき上りサブフレーム（例えば０、１、または２）に対応する下りサブフレーム候補群には、（１）３ＧＰＰのＬＴＥ第１０版で規定されたＦＤＤスケジューリング・タイミングに基づいて、上りサブフレーム（例えば０、１、または２）に対応する第１の下りサブフレーム（例えば６、７、または８）と、（２）前記３ＧＰＰのＬＴＥ第１０版で規定されたＦＤＤスケジューリング・タイミングに基づいて、上りサブフレーム（例えば０、１、または２）に対応しない１つまたは複数の第２の下りサブフレーム（例えば４または５）と、が含まれる。
【００３６】
また、限定的でない一例として、無線フレームｆの上りサブフレーム５、６、７ごとに設定された下りサブフレーム候補群には、直前の無線フレームｆ−１の下りサブフレーム９、および無線フレームｆの下りサブフレーム０、１、２、３が含まれてもよい。ここで、３ＧＰＰのＬＴＥ第１０版で規定されたＦＤＤモード下のスケジューリング・タイミングによれば、無線フレームｆの上りサブフレーム５、６、７のそれぞれが、無線フレームｆの下りサブフレーム１、２、３と対応している。なお、上述したように、下りサブフレーム０、９は、ＭＢＳＦＮのサブフレームとして用いられないため、上りスケジューリング情報の送信用として使用できる。つまり、換言すれば、スケジューリングを行うべき上りサブフレーム（例えば５、６、または７）に対応する下りサブフレーム候補群には、（１）３ＧＰＰのＬＴＥ第１０版で規定されたＦＤＤスケジューリング・タイミングに基づいて、上りサブフレーム（例えば５、６、または７）に対応する第１の下りサブフレーム（例えば１、２、または３）と、（２）前記３ＧＰＰのＬＴＥ第１０版で規定されたＦＤＤスケジューリング・タイミングに基づいて、上りサブフレーム（例えば５、６、または７）に対応しない１つまたは複数の第２の下りサブフレーム（例えば０または９）と、が含まれる。
【００３７】
本発明の実施例を説明するために、以下は便宜上、第１グループである上りサブフレーム０、１、２のスケジューリング・タイミング、および第２グループである上りサブフレーム５、６、７のスケジューリング・タイミングを併せて想定する場合について説明する。但し、このようなグループ分けは単に一例であり、本発明はこれに限定されないことは当業者にとって言うまでもない。
【００３８】
各グループ内の３つの上りサブフレームをそれぞれｉ１、ｉ２、ｉ３と表記し、これらに対応する下りサブフレーム候補群内の５つの下りサブフレームをそれぞれｊ１、ｊ２、ｊ３、ｊ４、ｊ５と表記する。ｉ１、ｉ２、ｉ３が無線フレームｆの上りサブフレーム０、１、２（第１グループ）を表す場合は、ｊ１、ｊ２、ｊ３、ｊ４、ｊ５が該上りサブフレーム０、１、２に対応する下りサブフレーム候補群内の、直前の無線フレームｆ−１の下りサブフレーム４、５、６、７、８を表す。また、ｉ１、ｉ２、ｉ３が無線フレームｆの上りサブフレーム５、６、７（第２グループ）を表す場合は、ｊ１、ｊ２、ｊ３、ｊ４、ｊ５が該上りサブフレーム５、６、７に対応する下りサブフレーム候補群内の、直前の無線フレームｆ−１の下りサブフレーム９および無線フレームｆの下りサブフレーム０、１、２、３を表す。
【００３９】
各下りサブフレームのＭＢＳＦＮ設定がバイナリビットで示され、「０」は該下りサブフレームがＭＢＳＦＮのサブフレームとして用いられないことを示し、「１」は該下りサブフレームがＭＢＳＦＮのサブフレームとして用いられることを示す。下りサブフレームｊ１、ｊ２、ｊ３、ｊ４、ｊ５のＭＢＳＦＮ設定は、５ビット値であるｊ１ｊ２ｊ３ｊ４ｊ５として表される。例えば、第１グループに対するｊ１ｊ２ｊ３ｊ４ｊ５＝００１０１とは、直前の無線フレームｆ−１の下りサブフレーム４、５、７がＭＢＳＦＮのサブフレームとして設定されていなく、直前の無線フレームｆ−１の下りサブフレーム６、８がＭＢＳＦＮのサブフレームとして設定されていることを意味する。また、第２グループに対するｊ１ｊ２ｊ３ｊ４ｊ５＝００１０１とは、直前の無線フレームｆ−１の下りサブフレーム９および無線フレームｆの下りサブフレーム０、２がＭＢＳＦＮのサブフレームとして設定されていなく、無線フレームｆの下りサブフレーム１、３がＭＢＳＦＮのサブフレームとして設定されていることを意味する。
【００４０】
下りサブフレーム０、４、５、９がＭＢＳＦＮのサブフレームになることがあり得ないため、ｊ１ｊ２＝００。一方、ｊ３ｊ４ｊ５は、異なる８通りのＭＢＳＦＮ設定が常に存在する。下表１には、ｊ１ｊ２ｊ３ｊ４ｊ５が或るＭＢＳＦＮ設定であるときのスケジューリング・タイミングのｋ値が、規定されている。ｋは、特定の上りサブフレームｍ（ｉ１、ｉ２、またはｉ３）と下りサブフレームｍ−ｋとの対応関係（すなわち、下りサブフレームｍ−ｋが、上りサブフレームｍのスケジューリングを行うための上りスケジューリング情報の送信用として用いられる）を示している。なお、３ＧＰＰのＬＴＥ第１０版で規定されたＦＤＤスケジューリング・タイミングは、ｋ＝４の場合に相当する。
【００４１】
【表１】
2016506171.tif 000003
【００４２】
また、キャリア波間を跨るスケジューリングを支持しており、１つまたは複数の非ＮＣＴキャリア波（すなわち、従来一般のキャリア波）が存在している場合、キャリア波間を跨るスケジューリングが可能なシステムであれば、基地局が、一つのＮＣＴキャリア波について、キャリア波間を跨るスケジューリングを行ってもよい。一方、キャリア波間を跨るスケジューリングがシステムに支持されない場合や、システムに適合する従来一般のキャリア波が存在しない場合、または、システムにおける従来一般のキャリア波では、キャリア波間を跨るスケジューリングが行えない場合（例えば、従来一般のキャリア波の周波数と、ＮＣＴキャリア波の周波数とが離れすぎる）には、上述したスケジューリング・タイミングを用いてもよい。なお、キャリア波間を跨るスケジューリングにおいては、現行ＬＴＥ第１０版で定義された周波数分割デュプレックスＦＤＤスケジューリング・タイミングが従来通りに適用されているが、ＮＣＴキャリア波に含まれた上りスケジュール情報は、別のキャリア波による下り制御チャネル（ＰＤＣＣＨ／ｅＰＤＣＣＨ）を介して送信される。例えば、キャリア波間を跨るスケジューリングを用いる場合、下りサブフレームｍ−４が自キャリア波の上りサブフレームｍのスケジューリング用として使用できないときには、別のキャリア波の下りサブフレームｍ−４を利用し、当該上りサブフレームｍに対して、キャリア波間を跨るスケジューリングを行う。
【００４３】
以下は、表１に基づき具体例を説明する。なお、下記例はあくまでも模式的なものであり、本発明の原理は以下の具体例に限定されるものではない。
【００４４】
（実施例１）＜直前の無線フレームｆ−１における下りサブフレームのいずれもＭＢＳＦＮのサブフレームとして設定されていなく、無線フレームｆの下りサブフレーム１、２、８がＭＢＳＦＮのサブフレームとして設定されている場合＞
上述したように、如何なる無線フレームの上りサブフレーム３、４、８、９も、スケジューリングを行うことが常に可能である。
【００４５】
次に、ｊ１、ｊ２、ｊ３、ｊ４、ｊ５が直前の無線フレームｆ−１の下りサブフレーム４、５、６、７、８を表すと想定する。この場合、ｉ１、ｉ２、ｉ３は無線フレームｆの上りサブフレーム０、１、２を表すことになる。また、本実施例のｊ１、ｊ２、ｊ３、ｊ４、ｊ５のいずれもＭＢＳＦＮのサブフレームとして設定されていないため、ＭＢＳＦＮ設定としては、ｊ１ｊ２ｊ３ｊ４ｊ５＝０００００。表１を参照すれば分かるように、各上りサブフレームが対応するｋ＝４。つまり、３ＧＰＰのＬＴＥ第１０版で規定されたＦＤＤスケジューリング・タイミングに基づいて上りスケジューリング情報を送信することができる。
【００４６】
次に、ｊ１、ｊ２、ｊ３、ｊ４、ｊ５が直前の無線フレームｆ−１の下りサブフレーム９、および無線フレームｆの下りサブフレーム０、１、２、３を表すと想定する。この場合、ｉ１、ｉ２、ｉ３は無線フレームｆの上りサブフレーム５、６、７を表すことになる。また、この場合のＭＢＳＦＮ設定としては、ｊ１ｊ２ｊ３ｊ４ｊ５＝００１１０。表１を参照すれば分かるように、
上りサブフレームｉ１が対応するｋ＝６、すなわち、無線フレームｆの上りサブフレーム５が直前の無線フレームｆ−１の下りサブフレーム９に対応しており、
上りサブフレームｉ２が対応するｋ＝６、すなわち、無線フレームｆの上りサブフレーム６が無線フレームｆの下りサブフレーム０に対応しており、
上りサブフレームｉ３が対応するｋ＝４、すなわち、無線フレームｆの上りサブフレーム７が無線フレームｆの下りサブフレーム３に対応している。
【００４７】
更に、ｊ１、ｊ２、ｊ３、ｊ４、ｊ５が無線フレームｆの下りサブフレーム４、５、６、７、８を表すと想定する。この場合、ｉ１、ｉ２、ｉ３は、次の無線フレームｆ+１の上りサブフレーム０、１、２を表すことになる。また、この場合のＭＢＳＦＮ設定としては、ｊ１ｊ２ｊ３ｊ４ｊ５＝００００１。表１を参照すれば分かるように、
上りサブフレームｉ１が対応するｋ＝４、すなわち、次の無線フレームｆ+１の上りサブフレーム０が無線フレームｆの下りサブフレーム６に対応しており、
上りサブフレームｉ２が対応するｋ＝４、すなわち、次の無線フレームｆ+１の上りサブフレーム１が無線フレームｆの下りサブフレーム７に対応しており、
上りサブフレームｉ３が対応するｋ＝５、すなわち、次の無線フレームｆ+１の上りサブフレーム２が無線フレームｆの下りサブフレーム７に対応している。
【００４８】
なお、次の無線フレームｆ+１の上りサブフレーム１および上りサブフレーム２は、基地局が、無線フレームｆの下りサブフレーム７のスケジューリングにより、同一のＵＥに割り当ててもよく、異なるＵＥに割り当ててもよい。ＵＥは、それぞれの上りスケジューリング情報を読み取り、該上りスケジューリング情報による指示に基づき、次の無線フレームｆ+１の上りサブフレーム１および上りサブフレーム２において上り伝送を行うべきか否かを特定する。
【００４９】
望ましくは、上記のように、キャリア波間を跨るスケジューリングを用いる場合、下りサブフレームｍ−４が自キャリア波の上りサブフレームｍのスケジューリング用として使用できないときには、別のキャリア波の下りサブフレームｍ−４を利用し、当該上りサブフレームｍに対して、キャリア波間を跨るスケジューリングを行う。
【００５０】
（実施例２）＜如何なる無線フレームｆにおいても、下りサブフレーム０、１、３、４、５、７、９がＭＢＳＦＮのサブフレームとして設定されていなく、下りサブフレーム２、６、８がＭＢＳＦＮのサブフレームとして設定されている場合＞
上述したように、如何なる無線フレームの上りサブフレーム３、４、８、９も、スケジューリングされることが常に可能である。
【００５１】
次に、ｊ１、ｊ２、ｊ３、ｊ４、ｊ５が直前の無線フレームｆ−１の下りサブフレーム４、５、６、７、８を表し、ｉ１、ｉ２、ｉ３が無線フレームｆの上りサブフレーム０、１、２を表すと想定する。また、この場合のＭＢＳＦＮ設定としては、ｊ１ｊ２ｊ３ｊ４ｊ５＝００１０１。表１を参照すれば分かるように、
上りサブフレームｉ１が対応するｋ＝５、すなわち、無線フレームｆの上りサブフレーム０が直前の無線フレームｆ−１の下りサブフレーム５に対応しており、
上りサブフレームｉ２が対応するｋ＝４、すなわち、無線フレームｆの上りサブフレーム１が、直前の無線フレームｆ−１の下りサブフレーム７に対応しており、
上りサブフレームｉ３が対応するｋ＝５、すなわち、無線フレームｆの上りサブフレーム２が、直前の無線フレームｆ−１の下りサブフレーム７に対応している。
【００５２】
なお、無線フレームｆの上りサブフレーム１および上りサブフレーム２は、基地局が、直前の無線フレームｆ−１の下りサブフレーム７のスケジューリングにより、同一のＵＥに割り当ててもよく、異なるＵＥに割り当ててもよい。ＵＥは、それぞれの上りスケジューリング情報を読み取り、該上りスケジューリング情報による指示に基づき、無線フレームｆの上りサブフレーム１および上りサブフレーム２において上り伝送を行うべきか否かを特定できる。
【００５３】
次に、ｊ１、ｊ２、ｊ３、ｊ４、ｊ５が直前の無線フレームｆ−１の下りサブフレーム９、および無線フレームｆの下りサブフレーム０、１、２、３を表すと想定する。この場合、ｉ１、ｉ２、ｉ３は無線フレームｆの上りサブフレーム５、６、７を表すことになる。また、この場合のＭＢＳＦＮ設定としては、ｊ１ｊ２ｊ３ｊ４ｊ５＝０００１０。表１を参照すれば分かるように、
上りサブフレームｉ１が対応するｋ＝４、すなわち、無線フレームｆの上りサブフレーム５が無線フレームｆの下りサブフレーム１に対応しており、
上りサブフレームｉ２が対応するｋ＝５、すなわち、無線フレームｆの上りサブフレーム６が無線フレームｆの下りサブフレーム１に対応しており、
上りサブフレームｉ３が対応するｋ＝４、すなわち、無線フレームｆの上りサブフレーム７が無線フレームｆの下りサブフレーム３に対応している。
【００５４】
なお、無線フレームｆの上りサブフレーム５および上りサブフレーム６は、基地局が、無線フレームｆの下りサブフレーム１のスケジューリングにより、同一のＵＥに割り当ててもよく、異なるＵＥに割り当ててもよい。ＵＥは、それぞれの上りスケジューリング情報を読み取り、該上りスケジューリング情報による指示に基づき、無線フレームｆの上りサブフレーム５および上りサブフレーム６において上り伝送を行うべきか否かを特定できる。
【００５５】
また、本実施例において、全ての無線フレームに同一のＭＢＳＦＮ設定が採用されているため、無線フレームｆ+１の上りサブフレームのスケジューリング・タイミングｋ値と、無線フレームｆの上りサブフレームのスケジューリング・タイミングｋ値とは同様である。
【００５６】
望ましくは、上記のように、キャリア波間を跨るスケジューリングを用いる場合、下りサブフレームｍ−４が自キャリア波の上りサブフレームｍのスケジューリング用として使用できないときには、別のキャリア波の下りサブフレームｍ−４を利用し、当該上りサブフレームｍに対して、キャリア波間を跨るスケジューリングを行う。
【００５７】
以下、図面に基づき、本発明の上りスケジューリング情報を送信する方法のフローチャートについて説明する。なお、下記は、より分かりやすくなるように、基地局１００の具体的実施例に併せて本発明の方法を説明する。但し、基地局の上述した具体的な機能的手段に併せて本発明の方法を説明することは、あくまでも模式的に示すことが目的であり、例えばコンピュータプログラムにより該方法を実現させる場合には、図面のような部とデバイスとの区分が全く必要なく、基地局が一体化されたものとして本発明の方法を実現してもよい。また、前記基地局１００の実施例に併せて説明した全ての特徴も、下記方法の実施例に適用できる。
【００５８】
図２は、本発明に係る上りスケジューリング情報を送信する方法２００を示すフローチャート図である。方法２００は、基地局１００により執行され、下記のステップを含む。
【００５９】
すなわち、ステップＳ２１０において、上りスケジューリング情報に基づいてスケジューリングを行うべき上りサブフレームに対し、選択部１１０が、下りサブフレーム候補群から、前記上りスケジューリング情報の送信用として使用可能な下りサブフレームを選択する。前記下りサブフレーム候補群には、（１）予定のスケジューリング・タイミングに基づいて前記上りサブフレームに対応する第１の下りサブフレームと、（２）前記予定のスケジューリング・タイミングに基づいて前記上りサブフレームに対応しない１つまたは複数の第２の下りサブフレームと、が含まれる。
【００６０】
また、ステップＳ２１０において、前記第１の下りサブフレームが如何なる上りスケジューリング情報の送信用としても使用できない場合には、選択部１１０が、前記１つまたは複数の第２の下りサブフレームのうち、前記上りスケジューリング情報の送信用として使用可能な下りサブフレームを１つ選択する。
【００６１】
具体的には、如何なる上りスケジューリング情報の送信用としても使用できない下りサブフレームは、マルチキャスト・ブロードキャスト単周波数ネットワークＭＢＳＦＮのサブフレームとして用いられる下りサブフレームである。
【００６２】
好ましくは、前記１つまたは複数の第２の下りサブフレームには、ＭＢＳＦＮのサブフレームとして用いられず、上りスケジューリング情報の送信用として使用可能な少なくとも１つの下りサブフレームが含まれる。
【００６３】
本発明の実施例によれば、前記予定のスケジューリング・タイミングは、第３世代パートナーシップ・プロジェクト３ＧＰＰのロング・ターム・エボリューションＬＴＥ第１０版で定義された周波数分割デュプレックスＦＤＤスケジューリング・タイミングである。
【００６４】
また、ステップＳ２２０では、送信部１２０が、選択された下りサブフレームにおいて前記上りスケジューリング情報を送信する。
【００６５】
本発明によれば、一部の下りサブフレームが上りスケジューリング情報の送信用として使用できなくても（例えばＭＢＭＳ用）、当該上りサブフレームに対してスケジューリングを行うことができる。また、現行スタンダードで規定されたＦＤＤスケジューリング・タイミングが極力使用されているため、現行スタンダードへの影響が最小化される。
【００６６】
以上、本発明の好ましい実施形態を例示し本発明について説明したが、本発明の精神および範囲を超えない限り、本発明に対する種々の改良、置換および変更が可能であることは、当業者であれば理解できる。したがって、本発明は、上述した実施形態に限定されず、本願特許請求の範囲およびその均等的ものにより限定されるべきである。
【図１】
2016506171.tif 000004
【図２】
2016506171.tif 000005
【国際調査報告】
2016506171.tif 000006
2016506171.tif 000007
2016506171.tif 000008
2016506171.tif 000009